(57)【特許請求の範囲】
【請求項１】
コードレス電話子機とコードレス電話親機とを含むコードレス電話装置であって、
前記コードレス電話親機は、
音楽再生装置との間でデータを無線通信する第１の無線通信部と、
前記音楽再生装置の状態を管理し、前記第１の無線通信部を介して前記音楽再生装置を遠隔制御する第１の制御部と、
音声データを音声出力するスピーカと、
前記第１の無線通信部により受信された前記音楽再生装置からの音声データを再生し、前記音声データを前記スピーカに出力する音声処理部と、
前記コードレス電話子機との間でデータを無線通信する第２の無線通信部と、
前記コードレス電話子機を、前記音楽再生装置を遠隔制御するための操作部として動作させる第２の制御部とを備え、
前記第２の制御部は、
前記コードレス電話子機から前記音楽再生装置を遠隔制御するための所定のキーの情報を受信した場合には、前記所定のキー情報に対応する遠隔制御情報を前記音楽再生装置へ送信し、
前記コードレス電話子機から音量調整するための所定のキーの情報を受信した場合には、前記音楽再生装置への遠隔制御することなく前記スピーカの再生音量を制御すること、を特徴とするコードレス電話装置。
【請求項２】
請求項１に記載のコードレス電話装置であって、
前記コードレス電話親機は、
前記音楽再生装置の遠隔制御を開始するための連携開始情報を前記コードレス電話子機から受信すると、
前記コードレス電話子機の表示部により提示される表示情報を、前記コードレス電話子機へ送信するよう制御するコードレス電話装置。
【請求項３】
請求項２に記載のコードレス電話装置であって、
前記表示情報は、前記コードレス電話子機が前記操作部として動作する場合の操作入力画面の情報を含むコードレス電話装置。
【請求項４】
請求項２または３に記載のコードレス電話装置であって、
前記コードレス電話親機は、前記音楽再生装置から前記音声データの楽曲情報又は前記音楽再生装置の状態情報を受信し、
前記表示情報は、前記楽曲情報又は前記状態情報を含むコードレス電話装置。
【請求項５】
請求項４に記載のコードレス電話装置であって、
前記コードレス電話親機は、
前記楽曲情報又は前記状態情報の変化を検出した場合、前記表示情報を送信するよう制御するコードレス電話装置。
【請求項６】
請求項１ないし５のいずれか１項に記載のコードレス電話装置であって、
前記コードレス電話親機は、
前記音楽再生装置の操作部として動作中のコードレス電話子機から所定のキーの情報を受信すると、
前記所定のキーに対応する前記音楽再生装置の遠隔制御を指示する指示情報を含む遠隔制御情報を、前記音楽再生装置へ送信するよう制御するコードレス電話装置。
【請求項７】
請求項６に記載のコードレス電話装置であって、
前記指示情報は、前記音楽再生装置による音声データの再生、再生停止、又は再生一時停止を指示する情報を含むコードレス電話装置。
【請求項８】
請求項１ないし７のいずれか１項に記載のコードレス電話装置であって、
前記第１の無線通信部の通信方式は、ＩＥＥＥ８０２．１５．１規格に準拠する通信方式を含むコードレス電話装置。
【請求項９】
コードレス電話子機とコードレス電話親機とを含むコードレス電話装置の前記コードレス電話親機における制御方法であって、
音楽再生装置との間で無線接続を行うステップと、
前記音楽再生装置から受信した音声データを前記コードレス電話親機のスピーカに出力するステップと、
前記音楽再生装置の遠隔制御を開始するための連携開始情報を前記コードレス電話子機から受信すると、前記音楽再生装置を遠隔制御するための表示情報を、前記コードレス電話子機へ送信するステップと、
前記コードレス電話子機から前記音楽再生装置を遠隔制御するための所定のキーの情報を受信した場合には、前記所定のキーに対応する遠隔制御情報を前記音楽再生装置へ送信するステップと、
前記コードレス電話子機から音量調整するための所定のキーの情報を受信した場合には、前記音楽再生装置への遠隔制御することなく前記コードレス電話親機のスピーカの再生音量を制御するステップと、
を有する制御方法。
【発明の詳細な説明】
【技術分野】
【０００１】
本発明は、コードレス電話装置及び制御方法に関する。
【背景技術】
【０００２】
近年、様々な音楽を再生する機能を備えた携帯型音楽プレーヤが広く普及し、音楽プレーヤに専用の外部スピーカを接続し、音楽プレーヤの楽曲を、より大音量で愉しむことができる。携帯型音楽プレーヤには、専用の音楽プレーヤ以外に、携帯電話端末（例えば、スマートホン、携帯電話端末）に音楽プレーヤの機能が搭載される場合もある。
【０００３】
特許文献１では、携帯型音楽プレーヤに関する従来技術として、携帯型音楽プレーヤと専用の外部スピーカユニットとを無線受信パックを介して接続する技術を提案している。
【０００４】
また、一般的な家庭内、オフィス内には、固定電話回線と接続可能なコードレス電話装置が設置される場合が多い。コードレス電話装置に関する従来技術が特許文献２及び特許文献３に開示されている。
【０００５】
特許文献２では、ＰＨＳ（Personal Handy-Phone System）の技術を用いて、携帯電話機の通信モードを公衆モード又は自営モードに切り替えるコードレス電話システムが開示されている。このコードレス電話システムは、屋外では携帯電話機として、宅内ではコードレス電話機の子機として、１つの携帯端末を併用可能である。
【０００６】
特許文献３では、電話網制御回路とデジタル無線通信部を備えた親機に、無線ＩＰ電話端末を接続し、無線ＩＰ電話端末をインターネット無線電話器として利用する電話機システムが開示されている。電話網制御回路は固定電話網通信部に相当する。デジタル無線通信部は無線ＬＡＮ通信部に相当する。無線ＩＰ電話端末は、子機に相当する。
【先行技術文献】
【特許文献】
【０００７】
【特許文献１】特開２００７−３３６５１１号公報
【特許文献２】特開２０００−２５３４４８号公報
【特許文献３】特開２００６−０２５０２０号公報
【発明の概要】
【発明が解決しようとする課題】
【０００８】
しかしながら、特許文献２、３のＰＨＳ端末、若しくは、無線ＩＰ電話端末に音楽プレーヤ機能を搭載させた電話端末をコードレス電話装置の子機として利用することは可能であるが、特許文献１の音楽プレーヤの外部スピーカとして、特許文献２，３のコードレス電話装置を利用するものではなく、コードレス電話装置とは別個に専用の外部スピーカを購入する必要がある。
【０００９】
また、特許文献１〜３の技術では、音楽プレーヤによる音楽再生時に、音楽プレーヤとコードレス電話機との連携が不十分である。
【００１０】
本発明は、上記事情に鑑みてなされたものであり、音楽再生装置により音声データを再生する場合の音楽再生装置とコードレス電話装置との連携を向上できるコードレス電話装置及び制御方法を提供する。
【課題を解決するための手段】
【００１１】
本発明のコードレス電話装置は、コードレス電話子機とコードレス電話親機とを含むコードレス電話装置であって、前記コードレス電話親機は、音楽再生装置との間でデータを無線通信する第１の無線通信部と、前記音楽再生装置の状態を管理し、前記第１の無線通信部を介して前記音楽再生装置を遠隔制御する第１の制御部と、音声データを音声出力するスピーカと、前記第１の無線通信部により受信された前記音楽再生装置からの音声データを再生し、前記音声データを前記スピーカに出力する音声処理部と、前記コードレス電話子機との間でデータを無線通信する第２の無線通信部と、前記コードレス電話子機を、前記第２の無線通信部を介して、前記音楽再生装置を遠隔制御するための操作部として動作させる第２の制御部と、を備え、前記第２の制御部は、前記コードレス電話子機から前記音楽再生装置を遠隔制御するための所定のキー情報を受信した場合には、前記所定のキー情報に対応する遠隔制御情報を前記音楽再生装置へ送信し、前記コードレス電話子機から音量調整するための所定のキーの情報を受信した場合には、前記音楽再生装置への遠隔制御することなく前記スピーカの再生音量を制御する。
【００１２】
本発明の制御方法は、コードレス電話子機とコードレス電話親機とを含むコードレス電話装置の前記コードレス電話親機における制御方法であって、音楽再生装置との間で無線接続を行うステップと、前記音楽再生装置から受信した音声データを前記コードレス電話親機のスピーカに出力するステップと、前記音楽再生装置の遠隔制御を開始するための連携開始情報を前記コードレス電話子機から受信すると、前記音楽再生装置を遠隔制御するための表示情報を、前記コードレス電話子機へ送信するステップと、前記コードレス電話子機から前記音楽再生装置を遠隔制御するための所定のキーの情報を受信した場合には、前記所定のキーに対応する遠隔制御情報を前記音楽再生装置へ送信するステップと、前記コードレス電話子機から音量調整するための所定のキーの情報を受信した場合には、前記音楽再生装置への遠隔制御することなく前記コードレス電話親機のスピーカの再生音量を制御するステップと、を有する。
【発明の効果】
【００１３】
本発明によれば、コードレス電話装置の親機を携帯型音楽プレーヤの外部スピーカとして兼用でき、且つ、コードレス電話装置の子機を携帯型音楽プレーヤのリモコンとして利用することができるコードレス電話装置を提供できる。
【図面の簡単な説明】
【００１４】
【図１】第１の実施形態におけるコードレス電話システムの構成例を示すブロック図
【図２】第１の実施形態におけるコードレス電話親機の構成例を示すブロック図
【図３】第１の実施形態におけるコードレス電話子機の構成例を示すブロック図
【図４】第１の実施形態におけるコードレス電話装置と携帯型音楽プレーヤとが連携する場合の第１動作例を示すシーケンス図
【図５】（Ａ）〜（Ｃ）第１の実施形態におけるコードレス電話子機における状態変化と画面遷移との関係の一例を表す模式図
【発明を実施するための形態】
【００１５】
以下、本発明の実施形態について、図面を参照して説明する。
【００１６】
（本発明の一形態を得るに至った経緯）
特許文献１の技術では、例えば家庭内で望ましい環境で音楽を試聴するためには、ユーザは専用の外部スピーカユニットを購入する必要がある。また、外部スピーカユニットは音響を出力するのみであり、例えば音質、音量を改善することは困難である。
【００１７】
また、例えば、外部スピーカユニットと携帯型音楽プレーヤとを接続するために、携帯型音楽プレーヤを外部スピーカユニットに載置（ドッキング）した場合、携帯型音楽プレーヤの操作性が低下する。例えば、ユーザが各種操作（例えば、音量の調整、楽曲の選択、再生開始／停止の操作）を行う場合、ユーザは音響を聴いている位置から外部スピーカユニットの近くまで移動し、携帯型音楽プレーヤを操作する必要がある。
【００１８】
外部スピーカユニットとして、特許文献２，３に示したようなコードレス電話装置を用いることができれば好ましい。しかし、仮にコードレス電話装置を携帯型音楽プレーヤの外部スピーカユニットとして単純に適用しても、外部スピーカユニットを用いる場合の携帯型音楽プレーヤの操作性は変化しない。
【００１９】
また、仮に、携帯型音楽プレーヤにより再生された音楽をコードレス電話装置のスピーカから出力中に、コードレス電話において電話の発着信が発生することが考えられる。この場合、コードレス電話装置における音楽の再生音が、通話を妨げる可能性がある。
【００２０】
以下、音楽再生装置により音声データを再生する場合の音楽再生装置とコードレス電話装置との連携を向上できるコードレス電話装置及び制御方法について説明する。
【００２１】
（第１の実施形態）
図１は、第１の実施形態におけるコードレス電話装置を含むコードレス電話システム１の構成例を示す模式図である。以下では、「コードレス電話」を「ＣＤＬ」と略記することもある。
【００２２】
ＣＤＬシステム１は、ＣＤＬ装置１０及び携帯型音楽プレーヤ３０を含む。ＣＤＬ装置１０は、ＣＤＬ親機１００とＣＤＬ子機２００（２００Ａ，２００Ｂ）とを含む。図１では、ＣＤＬ装置１０に２台のＣＤＬ子機２００Ａ、２００Ｂが含まれるが、ＣＤＬ子機の数は１台または３台以上でも良い。
【００２３】
ＣＤＬ親機１００は、固定電話網４０の電話回線に接続される。ＣＤＬ親機１００とＣＤＬ子機２００との間は無線接続されるので、ＣＤＬ子機２００の位置は例えば宅内において自由に移動できる。
【００２４】
ＣＤＬ親機１００は、固定電話網４０を経由して他の電話装置７０と接続され、各種通信（例えば通話）を実施する。ＣＤＬ子機２００は、ＣＤＬ親機１００及び固定電話網４０を経由して他の電話装置と接続され、各種通信（例えば通話）を実施する。
【００２５】
ＣＤＬ装置１０は、ＣＤＬ親機１００とＣＤＬ子機２００との間の無線通信の方式は、公知のコードレス電話装置で使用されている方式を採用すれば良く、例えば、１．９ＧＨｚ帯を使用するＰＨＳ方式、ＤＥＣＴ（Digital Enhanced Cordless Telecommunications）方式や、２．４ＧＨｚ帯を使用するＷＤＣＴ（Worldwide Digital Cordless Telephone）方式等がある。
【００２６】
ＣＤＬ親機１００は、携帯型音楽プレーヤ３０と連携する機能を有する。携帯型音楽プレーヤ３０は、例えば、音楽再生専用の携帯端末、又は音楽再生用のアプリケーションが組み込まれた携帯端末を含む。この携帯端末は、例えば、携帯電話端末又はスマートホンを含む。携帯型音楽プレーヤ３０の代わりに、据え置き型の音楽プレーヤを用いてもよい。
【００２７】
ＣＤＬ親機１００と携帯型音楽プレーヤ３０との間の無線通信の方式は、宅内での近距離無線通信技術として利用されている通信方式であれば良く、例えば、ＩＥＥＥ８０２．１５．１の方式（Ｂｌｕｅｔｏｏｔｈ（登録商標））、ＩＥＥＥ８０２．１１の方式（無線ＬＡＮ）、又はＩＥＥＥ８０２．１５．４の方式（Ｚｉｇｂｅｅ（登録商標））を含むが、以降のＣＤＬ親機１００と携帯型音楽プレーヤ３０との間の無線通信方式は、Ｂｌｕｅｔｏｏｔｈによって無線接続して連携動作する例について説明する。
【００２８】
携帯型音楽プレーヤ３０が音声データ（オーディオデータ）を再生する場合、音声データをＣＤＬ親機１００が備えるスピーカ１２９，１３０から音声出力（音響として出力）してもよい。つまり、ＣＤＬ親機１００のスピーカ１２９，１３０を、携帯型音楽プレーヤ３０の外部スピーカとして使用できる。
【００２９】
携帯型音楽プレーヤ３０により再生される音声データは、例えば、音楽（楽曲）のデータ、会話が録音された音声のデータ、周囲音のデータ、その他の一般的な音楽プレーヤにより再生可能な音に関するデータを広く含む。
【００３０】
携帯型音楽プレーヤ３０が音声データを再生する場合、ＣＤＬ子機２００がＣＤＬ親機１００を経由して携帯型音楽プレーヤ３０を遠隔操作してもよい。つまり、ＣＤＬ子機２００を携帯型音楽プレーヤ３０のリモコンとして使用できる。
【００３１】
次に、ＣＤＬ親機１００の構成例について説明する。
図２はＣＤＬ親機１００の構成例に示すブロック図である。
【００３２】
ＣＤＬ親機１００は、固定電話回線Ｉ／Ｆ（インタフェース）部１０１、記憶部１０３、音声入出力制御部１０４、操作部１０５、表示部１０６、ＣＤＬ無線Ｉ／Ｆ部１０７、及びＣＤＬプロトコル制御部１０８を備える。ＣＤＬ親機１００は、親機制御部１０９、無線ＬＡＮ制御部１２１、無線ＬＡＮ通信Ｉ／Ｆ部１２２、Ｂｌｕｅｔｏｏｔｈ制御部１２３、及びＢｌｕｅｔｏｏｔｈ通信Ｉ／Ｆ部１２４を備える。ＣＤＬ親機１００は、留守番電話制御部１２５、子機／携帯端末充電部１２６、ＵＳＢ（Universal Serial Bus）通信Ｉ／Ｆ部１２７、マイクロホン（ＭＩＣ）１２８、及びスピーカ（ＳＰＫ−Ｌ，ＳＰＫ−Ｒ）１２９，１３０を備える。
【００３３】
親機制御部１０９は、呼制御部１１０、子機リモコン制御部１１１、音声ストリーム処理部１１２、及び音楽プレーヤ制御部１１３を含む。
【００３４】
固定電話回線Ｉ／Ｆ部１０１は、回線制御回路（ＮＣＵ：Network Control Unit）及びモデムを含む。ＮＣＵは、電話回線の制御を行い、例えば、固定電話網４０からの着呼を検出し、発呼時に固定電話網４０を捕捉接続する。モデムは、例えば、着呼時に固定電話網４０からの発信者番号情報等を受信する。なお、固定電話回線Ｉ／Ｆ部１０１は、回線制御回路の構成によって、アナログ電話回線との接続に限定するものでなく、ＩＳＤＮ回線、およびＩＰ電話回線等のデジタル電話回線に接続できる。
【００３５】
記憶部１０３は、揮発性メモリ（ＲＡＭ）と不揮発性メモリ（ＲＯＭ／ＥＰＲＯＭ等）を含んで構成される。記憶部１０３は、各種プログラム、及び、各種情報（例えば、ＣＤＬ装置１０の動作条件を定める各種パラメータ、電話帳情報、発着信履歴情報）を記憶する。
【００３６】
音声入出力制御部１０４は、音声バスからのデジタル信号化された音声データをアナログ変換してスピーカ１２９，１３０への出力制御、および、親機制御部１０９からの指示による音量出力制御、音質制御を行う。また、マイクロホン１２８から受信したアナログ音声をデジタル音声化して音声バスへの送信制御を行う。マイクロホン１２８及びスピーカ１２９，１３０を用いて、ハンズフリー通話を行う場合に使用される。また、スピーカ１２９，１３０に出力される音声信号には、通話音声以外に、例えば、着信音、携帯型音楽プレーヤ３０から取得された音声データが含まれ、着信音の出力や、携帯型音楽プレーヤの外部スピーカとして使用される。なお、スピーカ１２９，１３０からは、音声入出力制御部１０４が受信した音声データによって、ステレオ音またはモノラル音が出力される。
【００３７】
操作部１０５は、例えば、ユーザが操作可能な複数のボタンを含み、操作入力を受け付ける。ボタンには、例えば、発信時のダイヤル入力に必要なダイヤルキー、音楽プレーヤ連携制御のための再生キー／停止キー／一時停止キー等の各種機能が割り当てられたファンクションキー、スピーカからの音量を調整する音量調整キー、表示部１０６の表示位置に対応付けられ表示されている機能を起動するためのソフトキー、が含まれる。
【００３８】
表示部１０６は、液晶ディスプレイとそのドライバを含んで構成され、各種情報（例えば、電話番号、通信先又は通信元の情報、操作案内情報）を表示する。
【００３９】
ＣＤＬ無線Ｉ／Ｆ部１０７は、ＣＤＬ子機２００との間において無線通信するための送受信回路を含む。図示しないが、ＣＤＬ無線Ｉ／Ｆ部１０７は、ＲＦ（Radio Frequency）部で、アンテナを介して無線信号の送受信を行う。
【００４０】
ＣＤＬプロトコル制御部１０８は、ＣＤＬ子機２００との間でデータを送受信するプロトコルスタック部で、ＣＤＬ子機２００との間の制御プロトコル（例えば、ＤＥＣＴプロトコル方式、ＰＨＳプロトコル方式）に従ったプロトコル制御を行う。
【００４１】
親機制御部１０９は、例えば、マイクロコンピュータを主体とするハードウェアを含んで構成され、予め組み込まれたプログラムを実行することにより、親機制御部１０９が有する各種機能を実現する。親機制御部１０９は、ＣＤＬ親機１００全体を制御する。
【００４２】
呼制御部１１０は、操作部１０５、固定電話回線Ｉ／Ｆ部１０１又はＣＤＬプロトコル制御部１０８（ＣＤＬ子機２００）から通知されたイベント又は各種メッセージを処理し、ＣＤＬ親機１００に発生した呼の状態管理、及び呼接続を行う。また、呼制御部１１０では、着信音の出力／停止の制御や、後述する子機リモコン制御部１１１または音楽プレーヤ制御部１１３に、各種内部イベント（子機からのキー入力、携帯型音楽プレーヤ３０への遠隔制御指示等）を通知することによって、例えば、固定電話網４０からの着呼を検知すると携帯型音楽プレーヤ３０から受信した音声データのスピーカ１２９への出力を停止させ、着信音を出力する制御を行う。
【００４３】
子機リモコン制御部１１１は、ＣＤＬ子機２００が携帯型音楽プレーヤ３０を遠隔操作するための操作部として動作するよう制御する。例えば、子機リモコン制御部１１１は、ＣＤＬ子機２００が携帯型音楽プレーヤ３０のリモコンとして動作する場合、リモコン操作を補助するリモコン画面の情報を編集し、ＣＤＬ子機２００へ送信する。リモコン画面情報は、例えば、遠隔操作により携帯型音楽プレーヤ３０に指示する処理と、当該処理を実行させるためのＣＤＬ子機２００の操作部１４４におけるキーとの対応関係に基づいて、生成される。
【００４４】
子機リモコン制御部１１１は、ＣＤＬ無線Ｉ／Ｆ部１０７を介して受信されたＣＤＬ子機２００からのキーの情報を呼制御部１１０経由で取得し、表示中のリモコン画面情報においてキーと対応づけられた携帯型音楽プレーヤ３０のリモコン操作（例えば、再生、停止、一時停止）の情報を取得し、音楽プレーヤ制御部１１３へ該当のリモコン操作に対応する遠隔制御情報を通知する。また、子機リモコン制御部１１１は、ＣＤＬ子機２００のキー操作が、音量アップ／ダウンのキー操作であれば、音量アップ又は音量ダウンの指示を音声入出力制御部１０４へ指示する。
【００４５】
音声ストリーム処理部１１２は、携帯型音楽プレーヤ３０から音声ストリーム通信のための接続手順制御を行い、携帯型音楽プレーヤ３０から送出された音声ストリームデータをスピーカ１２９，１３０に出力するために、Ｂｌｕｅｔｏｏｔｈ制御部１２３から音声入出力制御部１０４への音声パスを形成させる。なお、Ｂｌｕｅｔｏｏｔｈ制御部１２３から音声入出力制御部１０４への音声パスは、Ｂｌｕｅｔｏｏｔｈ制御部１２３と音声入出力制御部１０４との間に音声ストリーム処理部１１２でバッファリングして形成しても良いし、音声ストリーム処理部１１２を経由せずに、Ｂｌｕｅｔｏｏｔｈ制御部１２３から音声入出力制御部１０４への音声バスを経由する音声パスを形成しても良い。
【００４６】
また、音声ストリームデータを無線ＬＡＮ通信Ｉ／Ｆ部１２２経由で受信する場合は、一旦、音声ストリーム処理部１１２で音声ストリームデータをバッファリングし、音声バスを経由して音声入出力制御部１０４への音声パスを形成する。
【００４７】
音声ストリーム通信のための接続手順には、Ｂｌｕｅｔｏｏｔｈであれば、Ａ２ＤＰ（Advanced Audio Distribution Profile）が、一般的であるが、ＲＴＳＰ（Real Time Streaming Protocol）等の他の音声ストリーミング用プロトコルを採用してもよい。
【００４８】
音楽プレーヤ制御部１１３は、携帯型音楽プレーヤ３０の状態管理し、携帯型音楽プレーヤ３０を遠隔制御する。音楽プレーヤ制御部１１３は、例えば、携帯型音楽プレーヤ３０を遠隔操作するための遠隔制御情報（例えば、再生、停止、一時停止）を、無線回線を介して、携帯型音楽プレーヤ３０に送信させる。
【００４９】
遠隔制御情報は、例えば、ＣＤＬ親機１００の操作部１０５を介して操作入力された情報に応じて生成されてもよいし、ＣＤＬ子機２００の操作部１４４を介して操作入力された情報に応じて生成されてもよい。
【００５０】
なお、携帯型音楽プレーヤ３０をＣＤＬ親機１００から遠隔制御するための通信手順には、相互の装置間で独自に制御メッセージを取り決めて行ってもよいが、Ｂｌｕｅｔｏｏｔｈ機器間であれば、ＡＶＲＣＰ（Audio/Video Remote Control Profile）を用いて行うことが可能である。
【００５１】
無線ＬＡＮ制御部１２１、無線ＬＡＮ通信Ｉ／Ｆ部１２２は、ＩＥＥＥ８０２．１１、即ち無線ＬＡＮの規格に従って、外部の無線ＬＡＮ機器と接続して、データ通信する。
【００５２】
ＢｌｕｅｔｏｏｔｈＩ／Ｆ部１２４は、アンテナを介してＢｌｕｅｔｏｏｔｈ規格の無線信号を送受信するＲＦ部で、Ｂｌｕｅｔｏｏｔｈ制御部１２３は、ＲＦ部への制御指示、通信リンク制御、パケット制御等のベースバンド制御である。
ＢｌｕｅｔｏｏｔｈＩ／Ｆ部１２４は、ＣＤＬ親機１００と携帯型音楽プレーヤ３０との間の無線通信のために、Ｂｌｕｅｔｏｏｔｈによって無線接続している。
【００５３】
留守番電話制御部１２５は、例えば、留守番電話メッセージを記憶し、メッセージの録音及び再生を制御する。
【００５４】
子機／携帯端末充電部１２６は、例えば、ＣＤＬ子機２００、携帯型音楽プレーヤ３０、又はその他の携帯端末に搭載された充電池を充電する。子機／携帯端末充電部１２６は、充電対象の端末を載置するドッキング部と充電端子を設けて、充電しても良いし、ワイヤレス給電の標準規格であるＱｉ（チー）規格等に対応した充電部として、ワイヤレス給電しても良い。
【００５５】
ＵＳＢ通信Ｉ／Ｆ部１２７は、ＵＳＢ規格に対応した各種機器（例えば携帯型音楽プレーヤ３０）をＣＤＬ親機１００に接続する通信インタフェースである。ＵＳＢ通信Ｉ／Ｆ部１２７は、例えば、ＣＤＬ子機２００又は携帯型音楽プレーヤ３０へ給電する給電部として動作してもよい。
【００５６】
図２では、ステレオ型スピーカとして２つのスピーカ１２９，１３０が示されているが、１つのスピーカとしたモノラル型でもよい。
【００５７】
次に、ＣＤＬ子機２００の構成例について説明する。
図３はＣＤＬ子機２００の構成例を示すブロック図である。
【００５８】
ＣＤＬ子機２００は、記憶部１４２、音声入出力制御部１４３、操作部１４４、表示部１４５、子機制御部１４７、ＣＤＬ無線Ｉ／Ｆ部１４８、ＣＤＬプロトコル制御部１４９、充電池１５０、マイクロホン（ＭＩＣ）１５１、及びスピーカ（ＳＰＫ）１５２を備える。
【００５９】
記憶部１４２は、揮発性メモリ（ＲＡＭ）と不揮発性メモリ（ＲＯＭ／ＥＰＲＯＭ等）を含んで構成される。記憶部１４２は、各種プログラム、各種情報（例えば、電話帳情報、発着信履歴情報）を記憶する。
【００６０】
音声入出力制御部１４３は、マイクロホン１５１及びスピーカ１５２が音声信号の入力又は出力するための制御を行う。スピーカ１５２に出力される音声信号には、例えば、着信音、通話音声、留守番電話メッセージ等が含まれる。
【００６１】
操作部１４４は、例えば、ユーザが操作可能な複数のボタンを含み、操作入力を受け付ける。ボタンには、例えば、発信時のダイヤル入力に必要なダイヤルキー、各種機能が割り当てられたファンクションキー、表示部１４５の表示位置に対応付けられ表示されている機能を起動するためのソフトキー、上下左右の各方向を選択する矢印キー、が含まれる。操作部１４４は、例えば、表示部１４５に重ねられたタッチパネルでもよい。
【００６２】
表示部１４５は、液晶ディスプレイとそのドライバを含んで構成され、各種情報（例えば、電話番号、通信先又は通信元の情報、操作案内情報）を表示する。また、表示部１４５は、携帯型音楽プレーヤ３０のリモコンとして動作する場合、リモコン画面を表示する。
【００６３】
子機制御部１４７は、例えば、マイクロコンピュータを主体とするハードウェアを含んで構成され、予め組み込まれているプログラムを実行することにより、子機制御部１４７が有する各種機能を実現する。子機制御部１４７は、ＣＤＬ子機２００全体を制御する。
【００６４】
ＣＤＬ無線Ｉ／Ｆ部１４８は、ＣＤＬ親機１００との間において無線通信するための送受信回路を含む。図示しないが、ＣＤＬ無線Ｉ／Ｆ部１４８は、ＲＦ部で、アンテナを介して無線信号の送受信を行う。
【００６５】
ＣＤＬプロトコル制御部１４９は、ＣＤＬ親機１００との間でデータを送受信するプロトコルスタック部で、ＣＤＬ親機１００との間の制御プロトコル（例えば、ＤＥＣＴプロトコル方式、ＰＨＳプロトコル方式、ＷＤＣＴ方式等）に従ったプロトコル制御を行う。
【００６６】
充電池１５０は、ＣＤＬ子機２００の各部に電源電力を供給する。例えば、ＣＤＬ子機２００がＣＤＬ親機１００の子機／携帯端末充電部１２６に載置されることにより、充電池１５０が充電される。
【００６７】
次に、携帯型音楽プレーヤ３０の構成例について説明する。
携帯型音楽プレーヤ３０の構成については、特に図示はしないが、一般的な音楽プレーヤの構成を有する。携帯型音楽プレーヤ３０は、例えば、無線通信部、制御部、記憶部、音楽再生アプリケーション部、操作部、表示部、及び音声出力部を備える。無線通信部は、Ｂｌｕｅｔｏｏｔｈ等の近距離無線通信でコードレス電話親機との間を無線接続する。制御部は、携帯型音楽プレーヤ３０の全体を制御する。記憶部は、音楽データを含む各種データを記憶する。音楽再生アプリケーション部は、制御部において動作するソフトウェアにより音楽データを再生し、ストリーム送信機能とリモコン制御機能を備える。音声出力部は、スピーカ、イヤホンジャックを含む。また、上記の構成部を含む携帯電話機や、スマートホンが、携帯音楽プレーヤの一形態であることは、言うまでもないことである。
【００６８】
携帯型音楽プレーヤ３０により再生される音声データは、携帯型音楽プレーヤ３０の記憶部に記憶されてもよいし、無線通信機能を用いて、例えば外部サーバから取得してもよい、外部の記憶装置（例えば、メモリカード、ＵＳＢメモリ等）から取得してもよい。
【００６９】
次に、ＣＤＬシステム１の動作例について説明する。
ＣＤＬシステム１では、ＣＤＬ装置１０と携帯型音楽プレーヤ３０とが動作連携する。図４は、ＣＤＬ親機１００、ＣＤＬ子機２００、及び携帯型音楽プレーヤ３０が連携する場合の第１動作例を示すシーケンス図である。図４では、ＣＤＬ子機２００Ａを主にリモコンとして操作することを想定する。
【００７０】
まず、ＣＤＬ親機１００とＣＤＬ子機２００Ａ，２００Ｂとの間において、ＣＤＬ親機１００のＣＤＬプロトコル制御部１０８及びＣＤＬ子機２００のＣＤＬプロトコル制御部１４９は、無線通信（例えばＤＥＣＴ）のリンクを形成し、コードレス電話親機と子機間の通信リンクを確立しスタンバイ状態である（Ｓ１０１）。
【００７１】
ＣＤＬ親機１００と携帯型音楽プレーヤ３０との間において、ＣＤＬ親機１００のＢｌｕｅｔｏｏｔｈ制御部１２３と携帯型音楽プレーヤ３０は、Ｂｌｕｅｔｏｏｔｈ（登録商標）のリンクを形成する（Ｓ１０２）。これにより、両者をペアリングする。携帯型音楽プレーヤ３０及びＣＤＬ親機１００間では、例えば、携帯型音楽プレーヤ３０からＣＤＬ親機１００に音声データをストリーミング配信するためにＡ２ＤＰを用い、ＣＤＬ親機１００から携帯型音楽プレーヤ３０を遠隔制御するためにＡＶＲＣＰを用いる。
【００７２】
Ａ２ＤＰは、Ｂｌｕｅｔｏｏｔｈ機器の種類ごとに定義された通信規約であるＢｌｕｅｔｏｏｔｈプロファイルの１つであり、音声データをストリーミング配信(受信しながら再生)するための手順を定義する。本実施例では、携帯型音楽プレーヤ３０がストリーミング配信側（ＳＲＣ）、ＣＤＬ親機１００がストリーミング受信側（ＳＮＫ）となる。
【００７３】
また、ＡＶＲＣＰは、Ｂｌｕｅｔｏｏｔｈ対応のワイヤレスイヤホンなどのリモコン制御に採用され、リモコンから本体（音楽プレーヤ等）を遠隔制御するときに使用するＢｌｕｅｔｏｏｔｈのプロファイルである。
【００７４】
Ａ２ＤＰの手順に従って携帯型音楽プレーヤ３０及びＣＤＬ親機１００が動作することにより、携帯型音楽プレーヤ３０からＣＤＬ親機１００へ音声データを伝送できる。ＣＤＬ親機１００では、音声データを受信しながら再生できる。
【００７５】
ストリーミング配信される音声データの形式は、例えば、ＳＢＣ（SubBand Codec）、ＭＰ３（ＭＰＥＧ（Moving Picture Experts Group）Audio Layer-3）、ＡＡＣ（Advanced Audio Coding）、ＡＴＲＡＣ（Adaptive Transform Acoustic Coding）、の形式を含む。
【００７６】
続いて、例えばユーザが携帯型音楽プレーヤ３０を操作し、携帯型音楽プレーヤ３０が音楽再生用のアプリケーションを起動する（Ｓ１０３）。携帯型音楽プレーヤ３０が音楽再生用のアプリケーションが起動すると、携帯型音楽プレーヤ３０は、ＣＤＬ親機１００との間でＡ２ＤＰとＡＶＲＣＰを用いて、音声ストリーム配信と遠隔制御のための無線接続を行う（Ｓ１０４）。
【００７７】
そして、上記ＡＶＲＣＰの接続手順が完了すると携帯型音楽プレーヤ３０は、例えば、携帯型音楽プレーヤ３０の状態を示す状態情報と、携帯型音楽プレーヤ３０が有する又は参照可能な音声データの楽曲情報を、ＣＤＬ親機１００に送信する（Ｓ１０５）。楽曲情報は、音声データに関する情報であり、例えば、アルバム名、アーティスト名、タイトル名、トラック番号を含む。楽曲情報は、携帯型音楽プレーヤ３０からＣＤＬ親機１００へ適時送信される。
【００７８】
また、携帯型音楽プレーヤ３０は、携帯型音楽プレーヤ３０のユーザ操作またはＣＤＬ親機１００からの遠隔操作により携帯型音楽プレーヤ３０の状態（例えば、再生中、停止中、一時停止中）が変化すると状態変化を示す状態情報を、ＣＤＬ親機１００に送信する。
【００７９】
ＣＤＬ親機１００では、Ｂｌｕｅｔｏｏｔｈ通信Ｉ／Ｆ部１２４を介して、音楽プレーヤ制御部１１３が、携帯型音楽プレーヤ３０から、楽曲情報又は状態情報を受信し、記憶部１０３に、この情報を保持する。楽曲情報及び状態情報は、必要に応じて使用され、例えば所定のタイミングにおいて表示部１０６又はＣＤＬ子機２００の表示部１４５に表示される。
【００８０】
携帯型音楽プレーヤ３０における音声データの再生開始は、例えば、ユーザが携帯型音楽プレーヤ３０を直接操作することで指示されてもよいし、携帯型音楽プレーヤ３０のリモコンとして機能するＣＤＬ子機２００を操作することで指示されてもよい。図４では、音楽再生用のアプリケーションの起動後に、ユーザは、携帯型音楽プレーヤ３０の操作部を操作して、選択中の楽曲の再生操作を行う（Ｓ１０６）。
【００８１】
これによって、携帯型音楽プレーヤ３０の状態が、停止状態から再生中状態に変化したため、携帯型音楽プレーヤ３０からＣＤＬ親機１００の音楽プレーヤ制御部１１３に再生中を示す状態情報（再生）が送信され、音楽プレーヤ制御部１１３は、携帯型音楽プレーヤの状態を再生中状態に更新する（Ｓ１０６ａ）。
【００８２】
続いて、携帯型音楽プレーヤ３０は、携帯型音楽プレーヤ３０が有する又は参照可能な音声データを、例えば音声ストリームデータとして、順次、ＣＤＬ親機１００へ送信する（Ｓ１０７）。
【００８３】
ＣＤＬ親機１００では、Ｂｌｕｅｔｏｏｔｈ通信Ｉ／Ｆ部１２４を経由してＢｌｕｅｔｏｏｔｈ制御部１２３が、携帯型音楽プレーヤ３０からの音声ストリームデータを受信する。音声ストリームデータは、音声バスを経由して音声入出力制御部１０４に入力され、アナログ信号に変換され、スピーカ１２９，１３０から音声出力される。
【００８４】
従って、携帯型音楽プレーヤ３０が音声データを再生する場合に、ＣＤＬ親機１００のスピーカ１２９及び１３０を、携帯型音楽プレーヤ３０の外部スピーカとして利用できる。
【００８５】
ＣＤＬ子機２００Ａでは、表示部１４５が所定の機能メニュー画面を表示中に、携帯型音楽プレーヤ３０と連携するためのファンクションキー（例えば連携キー）をユーザが押下し、操作部１４４が連携キーの押下を検出する（Ｓ１０９）。連携キーが押下されると、ＣＤＬ子機２００Ａから、携帯型音楽プレーヤ３０との連携開始要求を示すキー情報メッセージ（連携キー）をＣＤＬ親機１００に通知する（Ｓ１１０）。
【００８６】
なお、上記説明では、携帯型音楽プレーヤ３０と連携するための専用のファンクションキー押下操作によって、携帯型音楽プレーヤ３０のリモコンとして動作開始させたが、ＣＤＬ子機２００Ａの機能メニュー画面に表示されている機能から音楽プレーヤ連携機能を選択し、リモコン動作を起動する一連のキー操作によって、リモコンとして動作開始させても良い。
【００８７】
ＣＤＬ親機１００では、ＣＤＬ無線Ｉ／Ｆ部１０７が、キー情報メッセージ（連携キー）をＣＤＬ子機２００Ａから受信すると、呼制御部１１０にキー情報メッセージ（連携キー）を送信し、呼制御部１１０が、受信したキー情報が連携キーであることを検知する。
【００８８】
呼制御部１１０は、キー情報が連携キーであることを検知すると、ＣＤＬ子機２００Ａの状態を子機リモコン操作中状態に更新し、子機リモコン制御部１１１に子機リモコン起動を通知する。
【００８９】
子機リモコン制御部１１１は、子機リモコン起動が通知されると、リモコン画面情報を生成し、ＣＤＬ子機２００Ａにリモコン画面情報を送信する（Ｓ１１１）。リモコン画面情報は、例えば、携帯型音楽プレーヤ３０から受信した楽曲情報又は状態情報を含む。リモコン画面情報は、例えば、ＣＤＬ子機２００Ａが携帯型音楽プレーヤ３０のリモコンとして動作する場合に、ＣＤＬ子機２００Ａの各キーに割り当てる機能を表す情報、ＣＤＬ子機２００Ａがリモコンとして動作するための様々なパラメータ又は制御条件を表す情報、を含んでもよい。
【００９０】
ＣＤＬ子機２００Ａでは、ＣＤＬ無線Ｉ／Ｆ部１４８がＣＤＬ親機１００からの音楽プレーヤ再生中状態のリモコン画面情報を受信し、表示部１４５が、リモコン画面（例えば後述する図５（Ａ）参照）を表示する（Ｓ１１２）。リモコン画面の表示により、ＣＤＬ子機２００Ａのユーザは、ＣＤＬ子機２００Ａのリモコン画面に表示される内容を確認して、携帯型音楽プレーヤ３０を遠隔操作するための操作入力を行うことができる。従って、携帯型音楽プレーヤ３０とＣＤＬ親機１００との連携時には、ＣＤＬ子機２００Ａの操作により、携帯型音楽プレーヤ３０を遠隔操作できる。
【００９１】
遠隔操作の対象となる処理は、例えば、再生（ＰＬＡＹ）、再生一時停止（ＰＡＵＳＥ）、再生停止（ＳＴＯＰ）、早送り／次曲再生、巻き戻し／前曲再生、音量アップ、音量ダウンの処理を含む。
【００９２】
ＣＤＬ子機２００Ａでは、操作部１４４が音量アップのキー入力操作を検出した場合（Ｓ１１３）、ＣＤＬ無線Ｉ／Ｆ部１４８が、キー情報（音量アップ）メッセージをＣＤＬ親機１００に送信する（Ｓ１１４）。
【００９３】
この場合、ＣＤＬ親機１００では、ＣＤＬ無線Ｉ／Ｆ部１０７が、キー情報（音量アップ）メッセージを受信し、呼制御部１１０に送信する。
【００９４】
呼制御部１１０は、ＣＤＬ子機２００Ａの状態が子機リモコン操作中状態であることを確認すると、キー情報（音量アップ）を子機リモコン制御部１１１に通知する。
【００９５】
子機リモコン制御部１１１は、音声入出力制御部１０４に、スピーカ１２９，１３０による出力音量を増加させる指示を行う（Ｓ１１５）。
【００９６】
また、このとき、子機リモコン制御部１１１は、音量調整用のリモコン画面情報を生成し、ＣＤＬ子機２００Ａに送信しても良い（Ｓ１１５ａ）。
【００９７】
ＣＤＬ子機２００Ａでは、ＣＤＬ無線Ｉ／Ｆ部１４８が、ＣＤＬ親機１００からの音量調整用のリモコン画面情報を受信し、表示部１４５が、リモコン画面（例えば後述する図５（Ｂ）参照）を表示する（Ｓ１１５ｂ）。
【００９８】
ＣＤＬ子機２００Ａでは、操作部１４４が再生一時停止の操作入力を検出した場合（Ｓ１１６）、ＣＤＬ無線Ｉ／Ｆ部１４８が、キー情報（再生一時停止）メッセージをＣＤＬ親機１００に送信する（Ｓ１１７）。
【００９９】
この場合、ＣＤＬ親機１００では、ＣＤＬ無線Ｉ／Ｆ部１０７が、キー情報（再生一時停止）メッセージを受信し、呼制御部１１０に送信する。
【０１００】
呼制御部１１０は、ＣＤＬ子機２００Ａの状態が子機リモコン操作中状態であることを確認すると、キー情報（再生一時停止）を子機リモコン制御部１１１に通知する。
【０１０１】
子機リモコン制御部１１１は、キー情報（再生一時停止）メッセージを受信すると、音楽プレーヤ制御部１１３に再生一時停止のリモコン動作を指示するために、音楽プレーヤ制御部１１３に再生一時停止を指示する。
【０１０２】
音楽プレーヤ制御部１１３は、子機リモコン制御部１１１からの再生一時停止の指示を受信すると、Ｂｌｕｅｔｏｏｔｈ制御部１２３を介して、遠隔制御情報を携帯型音楽プレーヤ３０へ無線送信させる（Ｓ１１８）。この遠隔制御情報は、携帯型音楽プレーヤ３０による再生の一時停止を指示する情報を含む。
【０１０３】
携帯型音楽プレーヤ３０は、ＣＤＬ親機１００から再生一時停止情報を含む遠隔制御情報を受信すると、再生対象の音声データの再生を一時停止し、ＣＤＬ親機１００への音声ストリームデータの送信を停止し（Ｓ１１９）、再生一時停止状態を示す状態情報（再生一時停止）を、ＣＤＬ親機１００に通知する（Ｓ１２０）。
【０１０４】
ＣＤＬ親機１００では、音楽プレーヤ制御部１１３が再生一時停止を示す状態情報を受信し、携帯型音楽プレーヤ３０の状態を再生一時停止中状態に更新し、子機リモコン制御部１１１に状態変化を通知する。子機リモコン制御部１１１は、再生一時停止用のリモコン画面を生成し、リモコン操作中のＣＤＬ子機Ａに、再生一時停止用のリモコン画面を送信させる（Ｓ１２０ａ）。
【０１０５】
ＣＤＬ子機２００Ａでは、ＣＤＬ無線Ｉ／Ｆ部１４８がＣＤＬ親機１００からの再生一時停止用のリモコン画面情報を受信し、表示部１４５が、リモコン画面（例えば後述する図５（Ｃ）参照）を表示する（Ｓ１２０ｂ）。
【０１０６】
以上、第１動作例によれば、携帯型音楽プレーヤ３０が音声データを再生する場合、ＣＤＬ親機１００のスピーカ１２９，１３０を外部スピーカとして使用できる。また、携帯型音楽プレーヤ３０を遠隔操作するリモコンとして、ＣＤＬ子機２００を使用できる。
【０１０７】
また、ＣＤＬ子機２００をリモコンとして動作させることで、ユーザが携帯型音楽プレーヤ３０に対して各種操作を行う場合、ユーザは移動する必要がないため、ユーザの視聴環境の自由度を増大できる。
【０１０８】
さらに、上記の説明では、ＣＤＬ子機２００Ａからの子機操作による携帯型音楽プレーヤ３０を遠隔操作する例を説明した。ＣＤＬ子機２００Ａがリモコン操作を起動している状態で、他のＣＤＬ子機２００Ｂにおいて携帯型音楽プレーヤ３０と連携するためのキー（連携キー）を押下すると、ＣＤＬ子機２００Ｂからの操作によっても、ＣＤＬ子機２００Ａと共用して、携帯型音楽プレーヤ３０を遠隔操作することができる。
【０１０９】
さらに、上記の説明では、携帯型音楽プレーヤ３０が主導して、音楽再生用のアプリケーションを起動することを例示したが、ＣＤＬ親機１００側が主導して、音声ストリームデータの送信を開始させてもよい。この場合、例えば、ＣＤＬ子機２００が連携キーの押下し、ＣＤＬ子機２００からＣＤＬ親機１００へ連携キーの情報が伝達された際に、ＣＤＬ親機１００が携帯型音楽プレーヤ３０に対して、Ａ２ＤＰとＡＶＲＣＰとを用いた音声ストリーム配信手順と遠隔制御手順の接続を要求してもよい（Ｓ１０４）。また、携帯型音楽プレーヤ３０は、ＣＤＬ親機１００からの遠隔制御によって、音楽再生用のアプリケーションを起動してもよい。
【０１１０】
次に、ＣＤＬ子機２００の表示部１４５に表示されるリモコン画面の画面例について説明する。
図５（Ａ）〜（Ｃ）は、ＣＤＬ子機２００における状態変化と表示部１４５のリモコン画面の遷移との関係の一例を示す模式図である。図５（Ａ）は、携帯型音楽プレーヤ３０の状態が再生中である場合のリモコン画面の画面例を示す模式図である。図５（Ｂ）は、携帯型音楽プレーヤ３０の状態が一時停止中である場合のリモコン画面の画面例を示す模式図である。図５（Ｃ）は、携帯型音楽プレーヤ３０の状態が音量調整中である場合のリモコン画面の画面例を示す模式図である。図５（Ａ）では、表示部１４５に表示されるリモコン画面とともに、操作部１４４の一部が示されている。図５（Ｂ），（Ｃ）では、操作部１４４の一部の図示を省略している。
【０１１１】
子機リモコン制御部１１１は、携帯型音楽プレーヤ３０から取得した状態情報と楽曲情報に応じて、リモコン画面情報を編集し、ＣＤＬ子機２００にリモコン画面情報を送信させる。
【０１１２】
また、例えば、携帯型音楽プレーヤ３０における操作、または、ＣＤＬ子機２００からのリモコン操作に応じて、携帯型音楽プレーヤ３０の状態又は楽曲が変更されると、逐次、ＣＤＬ親機１００に状態情報又は楽曲情報が通知され、ＣＤＬ親機１００が状態情報又は楽曲情報の変化を検知する。状態情報又は楽曲情報の変化は、ＣＤＬ子機２００のリモコン画面に反映される。なお、ＣＤＬ子機２００におけるキー操作に応じて、ＣＤＬ子機２００から状態情報又は楽曲情報が通知されてもよい。
【０１１３】
図５（Ａ），（Ｂ）では、例えば、最上位の行から順に、再生対象の曲名（Music Name）、再生対象の曲を含むタイトル名（例えばアルバム名（Album Name））、再生対象の曲に関するアーティスト名（Player Name）リモコンの操作案内、ソフトキーに割り当てられた機能、の各情報が含まれる。このソフトキーは、例えば、左側のソフトキー（ＳＯＦＴ＿Ｌ），右側のソフトキー（ＳＯＦＴ＿Ｒ）を含む。
【０１１４】
操作部１４４は、図５（Ａ）に示すように、左側のソフトキー１４４ａ、右側のソフトキー１４４ｂ、通話キー１４４ｃ、終話キー１４４ｄ、ナビキー（十字キー）１４４ｅ、及びダイヤルキー１４４ｆを含む。
【０１１５】
図５（Ａ）〜（Ｃ）では、ナビキー１４４ｅにおいて、例えば、上方向のキーに音量アップ指示、下方向のキーに音量ダウン指示、の各機能が割り当てられる。図５（Ａ），（Ｂ）では、ナビキー１４４ｅにおいて、例えば、左方向のキーにリピート（Repeat）指示、右方向のキーにスキップ（Skip）指示、の各機能が割り当てられる。
【０１１６】
図５（Ａ）では、例えば、左側のソフトキー１４４ａに再生停止（ＳＴＯＰ）指示、右側のソフトキー１４４ｂに再生一時停止（ＰＡＵＳＥ）指示、の各機能が割り当てられる。図５（Ｂ）では、例えば、左側のソフトキー１４４ａに再生停止（ＳＴＯＰ）指示、右側のソフトキー１４４ｂに再生（ＰＬＡＹ）指示、の各機能が割り当てられる。
【０１１７】
以上、本実施形態のコードレス電話装置によれば、携帯型音楽プレーヤ３０が音声データを再生する場合、ＣＤＬ親機１００のスピーカ１２９，１３０を外部スピーカとして使用できる。そのため、ユーザが専用の外部スピーカを購入して携帯型音楽プレーヤ３０に接続しなくても、ＣＤＬ親機１００のスピーカ１２９，１３０を用いて音声データを出力できる。
【０１１８】
また、携帯型音楽プレーヤ３０からの音声データを再生する場合、携帯型音楽プレーヤ３０を遠隔操作するリモコンとして、ＣＤＬ子機２００を使用できる。ＣＤＬ子機２００は、例えば形状又はサイズの制約が少ないため、把持しやすく、操作性が良好である。従って、携帯型音楽プレーヤ３０の操作性が困難である場合でも、ＣＤＬ子機２００をリモコンとして使用するように連携することで、操作性を改善できる。
【０１１９】
また、携帯型音楽プレーヤ３０の状態情報及び楽曲情報は、ＣＤＬ子機２００に転送できるので、ユーザは、ＣＤＬ子機２００を用いて、容易に音声データの遠隔操作を指示できる。
【０１２０】
また、例えば、ＣＤＬ親機１００と携帯型音楽プレーヤ３０との間は無線接続され、物理的に接続されなくてもよい。例えば、ユーザが各種操作（例えば、音量の調整、楽曲の選択、再生開始、再生停止の操作）を行う場合、ユーザは視聴している位置からＣＤＬ親機１００の近くまで移動して携帯型音楽プレーヤ３０を操作する必要がなく、操作性を向上できる。
【０１２１】
このように、携帯型音楽プレーヤ３０により音声データを再生する場合の携帯型音楽プレーヤ３０とＣＤＬ装置１０との連携を向上でき、快適な視聴環境を実現できる。
【０１２２】
なお、本発明は、上記実施形態の構成に限られるものではなく、特許請求の範囲で示した機能、または本実施形態の構成が持つ機能が達成できる構成であればどのようなものであっても適用可能である。
【０１２３】
例えば、上記実施形態では、リモコン画面を用いて、視覚的にＣＤＬ子機２００へのユーザ操作を補助することを例示したが、他の手段（例えば音声合成や音声認識）を用いてユーザ補助してもよい。
【０１２４】
（本発明の一態様の概要）
本発明の一態様のコードレス電話装置は、
コードレス電話子機とコードレス電話親機とを含むコードレス電話装置であって、前記コードレス電話親機は、音楽再生装置との間でデータを無線通信する第１の無線通信部と、前記音楽再生装置の状態を管理し、前記第１の無線通信部を介して前記音楽再生装置を遠隔制御する第１の制御部と、音声データを音声出力するスピーカと、前記第１の無線通信部により受信された前記音楽再生装置からの音声データを再生し、前記音声データを前記スピーカに出力する音声処理部と、前記コードレス電話子機との間でデータを無線通信する第２の無線通信部と、前記コードレス電話子機を、前記第２の無線通信部を介して、前記音楽再生装置を遠隔制御するための操作部として動作させる第２の制御部と、を備える。
【０１２５】
この構成によれば、音楽再生装置が再生可能な音声データを、コードレス電話親機のスピーカを利用して出力できる。また、コードレス電話子機を用いて、音楽再生装置を遠隔制御できる。また、音楽再生装置とコードレス電話親機との間で無線通信するので、音楽再生装置を操作する度にユーザが移動する必要がない。従って、音楽再生装置により音声データを再生する場合の音楽再生装置とコードレス電話装置との連携を向上できる。
【０１２６】
また、本発明の一態様のコードレス電話装置は、前記コードレス電話親機が、前記音楽再生装置の遠隔制御を開始するための連携開始情報を前記コードレス電話子機から受信すると、前記コードレス電話子機の表示部により提示される表示情報を、前記コードレス電話子機へ送信するよう制御する。
【０１２７】
この構成によれば、遠隔制御用の操作部（リモコン装置）として動作するコードレス電話子機の操作方法を、ユーザが認識できる。ユーザは提示情報を基に音楽再生装置を遠隔制御できる。
【０１２８】
また、本発明の一態様のコードレス電話装置は、前記表示情報が、前記コードレス電話子機が前記操作部として動作する場合の操作入力画面の情報を含む。
【０１２９】
この構成によれば、ユーザはコードレス電話子機における操作入力画面を確認しながら、音楽再生装置を遠隔操作できる。
【０１３０】
また、本発明の一態様のコードレス電話装置は、前記コードレス電話親機が、前記音楽再生装置から前記音声データの楽曲情報又は前記音楽再生装置の状態情報を受信し、前記表示情報が、前記楽曲情報又は前記状態情報を含む。
【０１３１】
また、本発明の一態様のコードレス電話装置は、前記コードレス電話親機が、前記楽曲情報又は前記状態情報の変化を検出した場合、前記表示情報を送信するよう制御する。
【０１３２】
この構成によれば、例えば、音楽再生装置の状態変化、再生対象の楽曲の変化に追従し、表示情報を更新できる。ユーザは、例えば最新の表示情報を確認しながら、音楽再生装置を遠隔操作できる。
【０１３３】
この構成によれば、コードレス電話子機は、音声データの楽曲情報（例えば、タイトル名、アーティスト名、ジャンル、楽曲の長さ、の情報）を提示できる。従って、ユーザは、提示される楽曲情報を確認しながら、音楽再生装置を容易に遠隔操作できる。
【０１３４】
また、本発明の一態様のコードレス電話装置は、前記コードレス電話親機が、前記音楽再生装置の操作部として動作中のコードレス電話子機から所定のキーの情報を受信すると、前記所定のキーに対応する前記音楽再生装置の遠隔制御を指示する指示情報を含む遠隔制御情報を、前記音楽再生装置へ送信するよう制御する。
【０１３５】
この構成によれば、ユーザがコードレス子機を操作することで、操作部の各キーに割り当てられた処理を、音楽再生装置に通知できる。従って、音楽再生装置は、処理対象の音声データに対して、コードレス電話子機のユーザが意図した処理を実施できる。
【０１３６】
また、本発明の一態様のコードレス電話装置は、前記指示情報が、前記音楽再生装置による音声データの再生、再生停止、又は再生一時停止を指示する情報を含む。
【０１３７】
この構成によれば、コードレス子機をリモコン装置として使用し、音楽再生装置に対して、音声データの再生に関する処理を指示できる。
【０１３８】
また、本発明の一態様のコードレス電話装置は、前記コードレス電話親機が、前記音楽再生装置の操作部として動作中のコードレス電話子機から所定のキーの情報を受信すると、前記所定のキーの情報に応じて、前記音楽再生装置からの音声データを音声出力する音量を制御する。
【０１３９】
この構成によれば、音楽再生装置から取得した音声データについて、スピーカ出力の音量の増大又は低減をコードレス子機により指示できる。
【０１４０】
また、本発明の一態様のコードレス電話装置は、前記第１の無線通信部の通信方式が、ＩＥＥＥ８０２．１５．１規格に準拠する通信方式を含む。
【０１４１】
この構成によれば、音楽再生装置とコードレス電話親機とを有線接続する必要がないので、音楽再生装置を操作する度に移動することが不要になる。従って、音楽再生装置の音声データをコードレス電話装置のスピーカで音声出力する場合におけるユーザの利便性を向上できる。また、コードレス電話装置と連携する場合における音楽再生装置の配置場所の自由度も向上できる。
【０１４２】
また、本発明の一態様の制御方法は、コードレス電話子機とコードレス電話親機とを含むコードレス電話装置の前記コードレス電話親機における制御方法であって、音楽再生装置との間で無線接続を行うステップと、前記無線接続を介して前記音楽再生装置から受信した音声データを再生し、前記コードレス電話親機のスピーカに出力するステップと、前記スピーカにより前記音声データを音声出力するステップと、前記音楽再生装置の遠隔制御を開始するための連携開始情報を前記コードレス電話子機から受信すると、前記コードレス電話子機の表示部により表示される表示情報を、前記コードレス電話子機へ送信するステップと、前記コードレス電話子機との連携中に、前記コードレス電話子機から所定のキーの情報を受信すると、前記所定のキーに対応する遠隔制御情報を、前記音楽再生装置へ送信するステップと、を有する。
【０１４３】
この方法によれば、音楽再生装置が再生可能な音声データを、コードレス電話親機のスピーカを利用して出力できる。また、コードレス電話子機を用いて、音楽再生装置を遠隔制御できる。また、音楽再生装置とコードレス電話親機との間で無線通信するので、音楽再生装置を操作する度にユーザが移動する必要がない。また、音楽再生装置の操作が困難である場合でも、コードレス電話子機により良好な操作性を実現できる。従って、音楽再生装置により音声データを再生する場合の音楽再生装置とコードレス電話装置との連携を向上できる。
【産業上の利用可能性】
【０１４４】
本発明は、音楽再生装置により音声データを再生する場合の音楽再生装置とコードレス電話装置との連携を向上できるコードレス電話装置及び制御方法等に有用である。
【符号の説明】
【０１４５】
１  コードレス電話システム（ＣＤＬシステム）
１０  コードレス電話装置（ＣＤＬ装置）
１００  コードレス電話親機（ＣＤＬ親機）
２００  コードレス電話子機（ＣＤＬ子機）
３０  携帯型音楽プレーヤ
４０  固定電話網
７０Ａ〜７０Ｊ  画面
１０１  固定電話回線Ｉ／Ｆ部
１０３，１４２  記憶部
１０４，１０４Ａ，１４３  音声入出力制御部
１０５，１４４  操作部
１０６，１４５  表示部
１０７，１４８  ＣＤＬ無線Ｉ／Ｆ部
１０８，１４９  ＣＤＬプロトコル制御部
１０９，１０９Ａ  親機制御部
１１０  呼制御部
１１１  子機リモコン制御部
１１２，１１２Ａ  音声ストリーム処理部
１１３，１１３Ａ  音楽プレーヤ制御部
１２１  無線ＬＡＮ制御部
１２２  無線ＬＡＮ通信Ｉ／Ｆ部
１２３  Ｂｌｕｅｔｏｏｔｈ（登録商標）制御部
１２４  Ｂｌｕｅｔｏｏｔｈ（登録商標）通信Ｉ／Ｆ部
１２５  留守番電話制御部
１２６  子機／携帯端末充電部
１２７  ＵＳＢ通信Ｉ／Ｆ部
１２８，１５１  マイクロホン
１２９，１３０，１５２  スピーカ
１４４ａ，１４４ｂ  ソフトキー
１４４ｃ  通話キー
１４４ｄ  終話キー
１４４ｅ  ナビキー
１４４ｆ  ダイヤルキー
１４７  子機制御部
１５０  充電池
【要約】 
【課題】音楽再生装置により音声データを再生する場合の音楽再生装置とコードレス電話装置との連携を向上できるコードレス電話装置を提供する。
【解決手段】コードレス電話子機とコードレス電話親機とを含むコードレス電話装置であって、コードレス電話親機は、音楽再生装置との間でデータを無線通信する第１の無線通信部と、音楽再生装置の状態を管理し、第１の無線通信部を介して音楽再生装置を遠隔制御する第１の制御部と、音声データを音声出力するスピーカと、第１の無線通信部により受信された音楽再生装置からの音声データを再生し、音声データをスピーカに出力する音声処理部と、コードレス電話子機との間でデータを無線通信する第２の無線通信部と、コードレス電話子機を、第２の無線通信部を介して、音楽再生装置を遠隔制御するための操作部として動作させる第２の制御部と、を備える。
【選択図】図２【図１】
0005590691.tif 000002
【図２】
0005590691.tif 000003
【図３】
0005590691.tif 000004
【図４】
0005590691.tif 000005
【図５】
0005590691.tif 000006